(57)【要約】【課題】使用者が蓄電池を充電するために掃除機本体を移動させる必要がなく、使い勝手のよい電気掃除機の提供。【解決手段】吸引風を発生させる電動送風機を内蔵する掃除機本体と、掃除機本体に設けられた左右一対の車輪部と、掃除機本体に取り付けられ、電動送風機に電源を供給する蓄電池と、を備え、車輪部は、掃除機本体の後方の側面から掃除機本体の左右方向に延設された左右一対の円筒状の車軸部と、車軸部の外周に回動自在に取り付けられた左右一対の車輪と、を有するとともに、掃除機本体の移動時に前記車輪のみが回動するように構成されており、車軸部の一方には、掃除機本体の内側に向かって凹状となるように形成され、掃除機本体の外側から蓄電池が着脱自在に取り付けられる蓄電池収納部が設けられている、電気掃除機。【選択図】図２
2014121422.tif 000002
【特許請求の範囲】
【請求項１】
吸引風を発生させる電動送風機を内蔵する掃除機本体と、前記掃除機本体に設けられた左右一対の車輪部と、前記掃除機本体に取り付けられ、前記電動送風機に電源を供給する蓄電池と、を備え、前記車輪部は、前記掃除機本体の後方の側面から前記掃除機本体の左右方向に延設された左右一対の円筒状の車軸部と、前記車軸部の外周に回動自在に取り付けられた左右一対の車輪と、を有するとともに、前記掃除機本体の移動時に前記車輪のみが回動するように構成されており、前記車軸部の一方には、前記掃除機本体の内側に向かって凹状となるように形成され、前記掃除機本体の外側から前記蓄電池が着脱自在に取り付けられる蓄電池収納部が設けられている、電気掃除機。
【請求項２】
前記蓄電池収納部の側面には、前記蓄電池収納部の側面から内側に向かって突出して形成された凸状ガイド部が設けられており、前記蓄電池の側面には、前記蓄電池が前記蓄電池収納部に取り付けられた際に、前記凸状ガイド部と係合する凹状ガイド部が形成されている、請求項１に記載の電気掃除機。
【請求項３】
前記蓄電池には、前記蓄電池を持ち運ぶ際に使用者が保持するハンドルが回動自在に取り付けられており、前記ハンドルには、前記蓄電池が前記掃除機本体に取り付けられた際に、前記掃除機本体と係合する係合部が形成されている、請求項１または２に記載の電気掃除機。
【発明の詳細な説明】
【技術分野】
【０００１】
本発明は、電気掃除機に関する。
【背景技術】
【０００２】
従来の電気掃除機においては、掃除機本体の内部に電池を内蔵することで、電源コードを商用電源に接続することなく使用することができる充電式の電気掃除機が提案されている。
【０００３】
すなわち、図９に示すように、従来の充電式の電気掃除機において、掃除機本体２００には、吸引風を発生させる電動送風機２０１と、電動送風機２０１で発生された吸引風によって吸引された塵埃を捕集する集塵袋２０２が取り付けられる集塵室（図示せず）と、が設けられている。そして、掃除機本体２００の後部には、電動送風機２０１に電源を供給する電池２０３が内蔵されている。
【先行技術文献】
【特許文献】
【０００４】
【特許文献１】特開２００１−１２８９０１号公報
【発明の概要】
【発明が解決しようとする課題】
【０００５】
しかしながら、上記従来の電気掃除機においては、電気掃除機の使い勝手を向上させるという観点からは未だ改善の余地があった。
【０００６】
すなわち、上記従来の電気掃除機においては、電池が掃除機本体の内部に固定されているため、電池を充電する際、使用者は掃除機本体を充電台まで移動させ、掃除機本体を充電台に取り付けることで電池を充電する必要があるため、電池を充電する際に電気掃除機の使い勝手が悪い場合があった。
【０００７】
本発明は、上記従来技術の有する課題に鑑みてなされたものであり、電池を充電する際に掃除機本体を移動させる必要がなく、使い勝手のよい電気掃除機を提供することを目的とする。
【課題を解決するための手段】
【０００８】
上記従来技術の有する課題を解決するために、本発明は、吸引風を発生させる電動送風機を内蔵する掃除機本体と、掃除機本体に設けられた左右一対の車輪部と、掃除機本体に取り付けられ、電動送風機に電源を供給する蓄電池と、を備え、車輪部は、掃除機本体の後方の側面から掃除機本体の左右方向に延設された左右一対の円筒状の車軸部と、車軸部の外周に回動自在に取り付けられた左右一対の車輪と、を有するとともに、掃除機本体の移動時に前記車輪のみが回動するように構成されており、車軸部の一方には、掃除機本体の内側に向かって凹状となるように形成され、掃除機本体の外側から蓄電池が着脱自在に取り付けられる蓄電池収納部が設けられている、電気掃除機を提供する。
【０００９】
これにより、使用者が蓄電池を充電する際、使用者は掃除機本体から蓄電池を取り外し、蓄電池のみを充電台へと移動させることで、蓄電池を充電することができるため、蓄電池を充電するために掃除機本体を移動させる必要がなく、電気掃除機の使い勝手を向上させることができる。
【発明の効果】
【００１０】
本発明の電気掃除機によれば、使用者が蓄電池を充電する際、使用者は掃除機本体から蓄電池を取り外し、蓄電池のみを充電台へと移動させることで、蓄電池を充電することができるため、蓄電池を充電するために掃除機本体を移動させる必要がなく、電気掃除機の使い勝手を向上させることができるようになる。
【図面の簡単な説明】
【００１１】
【図１】本発明の実施の形態１における電気掃除機の全体斜視図
【図２】本発明の実施の形態１における掃除機本体に蓄電池が取り付けられた状態での掃除機本体の後方斜視図
【図３】本発明の実施の形態１における掃除機本体から蓄電池が取り外された状態での掃除機本体の後方斜視図
【図４】本発明の実施の形態１における蓄電池の斜視図
【図５】本発明の実施の形態１における掃除機本体から蓄電池を着脱させる様子を示す部分拡大図
【図６】本発明の実施の形態１における充電台に蓄電池が取り付けられた様子を示す全体図
【図７】本発明の実施の形態２における蓄電池の斜視図
【図８】本発明の実施の形態２における蓄電池に設けた取っ手を前方に回動させた様子を示す斜視図
【図９】従来の電気掃除機の掃除機本体を示す断面図
【発明を実施するための形態】
【００１２】
第１の発明は、吸引風を発生させる電動送風機を内蔵する掃除機本体と、掃除機本体に設けられた左右一対の車輪部と、掃除機本体に取り付けられ、電動送風機に電源を供給する蓄電池と、を備え、車輪部は、掃除機本体の後方の側面から掃除機本体の左右方向に延設された左右一対の円筒状の車軸部と、車軸部の外周に回動自在に取り付けられた左右一対の車輪と、を有するとともに、掃除機本体の移動時に前記車輪のみが回動するように構成されており、車軸部の一方には、掃除機本体の内側に向かって凹状となるように形成され、掃除機本体の外側から蓄電池が着脱自在に取り付けられる蓄電池収納部が設けられている、電気掃除機としたものである。
【００１３】
これにより、使用者が蓄電池を充電する際、使用者は掃除機本体から蓄電池を取り外し、蓄電池のみを充電台へと移動させることで、蓄電池を充電することができるため、蓄電池を充電するために掃除機本体を移動させる必要がなく、電気掃除機の使い勝手を向上させることができる。
【００１４】
第２の発明は、特に、第１の発明において、蓄電池収納部の側面には、蓄電池収納部の側面から内側に向かって突出して形成された凸状ガイド部が設けられており、蓄電池の側面には、蓄電池が蓄電池収納部に取り付けられた際に、凸状ガイド部と係合する凹状ガイド部が形成されている構成としたものである。
【００１５】
これにより、比較的重量の重い蓄電池を凸状ガイド部及び凹状ガイド部に沿って蓄電池収納部へと挿入することができるため、蓄電池が落下することがなく、掃除機本体に蓄電池を容易に着脱することができ、電気掃除機の使い勝手を向上させることができる。
【００１６】
第３の発明は、特に、第１または第２の発明において、蓄電池には、蓄電池を持ち運ぶ際に使用者が保持するハンドルが回動自在に取り付けられており、ハンドルには、蓄電池が掃除機本体に取り付けられた際に、掃除機本体と係合する係合部が形成されている構成としたものである。
【００１７】
これにより、使用者が比較的重量の重い蓄電池を着脱する際、使用者は、蓄電池に取り付けられたハンドルを持って着脱することができるため、蓄電池が落下することがなく、掃除機本体に蓄電池を容易に着脱することができ、電気掃除機の使い勝手を向上させることができる。また、蓄電池が掃除機本体に取り付けられた際、ハンドルに設けた係合部と掃除機本体とが係合し、蓄電池が掃除機本体に保持固定されるため、掃除機本体の移動時に蓄電池が外れることがなく、電気掃除機の安全性を向上させることができる。
【００１８】
以下、図面を参照しながら本発明の電気掃除機の好適な実施形態について詳細に説明する。なお、以下の説明では、同一または相当部分には同一符号付し、重複する説明は省略する。
【００１９】
（実施の形態１）
本発明の実施の形態１について、図１〜図６を用いて説明する。
【００２０】
図１は、本発明の実施の形態１における電気掃除機の全体斜視図である。また、図２は、本発明の実施の形態１における掃除機本体に蓄電池が取り付けられた状態での掃除機本体の後方斜視図である。さらに、図３は、本発明の実施の形態１における掃除機本体から蓄電池が取り外された状態での掃除機本体の後方斜視図である。また、図４は、本発明の実施の形態１における蓄電池の斜視図である。
【００２１】
図１に示すように、電気掃除機１００は、吸引風を発生させる電動送風機５（図２及び図３参照）を内蔵する掃除機本体１と、一端が掃除機本体１に着脱自在に接続されるホース２と、一端がホース２の他端に着脱自在に接続される延長管３と、延長管３の他端に着脱自在に接続される吸込具４と、から構成されている。
【００２２】
図２及び図３に示すように、掃除機本体１の内部には、吸引風を発生させる電動送風機５が内蔵されている。また、掃除機本体１の前部には、電動送風機５で発生された吸引風によって吸引された塵埃を捕集する集塵装置６が掃除機本体１に着脱自在に取り付けられている。さらに、掃除機本体１の後方の左右側面には、一対の走行用の車輪部７が形成されている。この車輪部７は、掃除機本体１の後方の左右側面から掃除機本体１の左右方向に向かって延設された左右一対の円筒状の車軸部７ａと、車軸部７ａの外周に回動自在に取り付けられた左右一対のリング状の車輪７ｂと、から構成されており、掃除機本体１の移動時には、車輪７ｂのみが回動するように構成されている。
【００２３】
掃除機本体１の後方の左右側面に形成された一対の車軸部７ａのうちの一方には、掃除機本体１の内側に向かって凹状となるように形成されているとともに、電動送風機５に電源を供給する蓄電池８が着脱自在に接続される蓄電池収納部９が形成されている。蓄電池収納部９の側面には、蓄電池収納部９の側面から内側に向かって突出して形成された左右一対の凸状ガイド部１０が掃除機本体１の外側に向かって傾斜するように設けられている。また、蓄電池収納部９の上面には、蓄電池収納部９に蓄電池８が取り付けられた際に、後述する尾錠１４と係合する取付部１１が形成されている。
【００２４】
図４に示すように、蓄電池８の側面には、蓄電池８が掃除機本体１の蓄電池収納部９に取り付けられる際に、蓄電池収納部９の凸状ガイド部１０と係合する左右一対の凹状ガイド部１２が設けられている。また、蓄電池８の側面の上部には、使用者が蓄電池８を持ち運ぶ際に保持する左右一対の指かけ部１３が形成されている。さらに、蓄電池８の上部には、蓄電池８が掃除機本体１に取り付けられた際に掃除機本体１の取付部１１と係合する尾錠１４が形成されている。この尾錠１４は、蓄電池８の上部から突出するようにバネ１５により付勢されている。
【００２５】
以上のように構成された電気掃除機について、以下、図５及び図６を加えて、その動作、作用を説明する。
【００２６】
図５は、本発明の実施の形態１における掃除機本体から蓄電池を着脱させる様子を示す部分拡大図である。また、図６は、本発明の実施の形態１における充電台に蓄電池が取り付けられた様子を示す全体図である。
【００２７】
使用者が電気掃除機１００を使用して掃除を開始すると、蓄電池８から電動送風機５に電源が供給され、電動送風機５で吸引風が発生される。電動送風機５で吸引風が発生されると、被清掃面上の塵埃が吸込具４から空気とともに吸引される。吸込具４から吸引された塵埃を含む空気は、延長管３及びホース２を介して掃除機本体１の内部へと流入し、その後、集塵装置６で塵埃のみが捕集される。
【００２８】
図５及び図６に示すように、使用者が掃除を終了し、蓄電池８を充電するとき、使用者は、バネ１５の付勢力に反して尾錠１４を下方へと押し下げることで蓄電池８と掃除機本体１との係合を解除することができる。蓄電池８と掃除機本体１との係合が解除された状態で、使用者が指かけ部１３に指をかけ、蓄電池８を軽く手前へと引くと、蓄電池８は自重によって使用者側へと倒れるが、蓄電池８の凹状ガイド部１２と蓄電池収納部９の凸状ガイド部１０とが係合しているため、凹状ガイド部１２が凸状ガイド部１０に引っ掛かり、蓄電池８が蓄電池収納部９から落下しない。この状態で、使用者は、蓄電池８を上方へと持ち上げることで、蓄電池８を掃除機本体１から取り外すことができる。そして、使用者は、蓄電池８のみを充電台１６へと移動させ、蓄電池８を充電することができる。
【００２９】
以上のように、本実施の形態においては、蓄電池８を充電する際、使用者は、掃除機本体１の蓄電池収納部９から蓄電池８を取り外し、蓄電池８のみを移動させて充電することができるため、蓄電池８を充電するために掃除機本体１を移動させる必要がなく、電気掃除機１００の使い勝手を向上させることができる。
【００３０】
また、本実施の形態においては、蓄電池収納部９に蓄電池８が取り付けられた状態において、蓄電池８が掃除機本体１の側面から突出しないように構成しているため、蓄電池８の掃除機本体１の外郭に露出する部分を少なくすることができ、電気掃除機のデザイン性を向上させることができる。
【００３１】
さらに、蓄電池８が掃除機本体１の蓄電池収納部９に取り付けられた状態において、蓄電池８は、掃除機本体１の外郭の一部を構成する面以外の全ての面が掃除機本体１に囲まれているため、掃除機本体１の移動などによって生じる振動によって、蓄電池８が動くことを十分に防止することができ、電気接点の接触を安定して確保することができる。
【００３２】
さらに、本実施の形態においては、掃除機本体１に蓄電池８が取り付けられた状態において、蓄電池８の凹状ガイド部１２と蓄電池収納部９の凸状ガイド部１０と係合、及び、蓄電池８の尾錠１４と掃除機本体１の取付部１１との係合によって、蓄電池８を掃除機本体１に保持固定させているため、掃除機本体１の移動時に蓄電池収納部９から蓄電池８が不用意に外れることがなく、電気掃除機１００の安全性を向上させることができる。
【００３３】
また、本実施の形態においては、掃除機本体１の側面に形成した車軸部７ａに蓄電池８を着脱自在に収納する蓄電池収納部９を形成しているため、蓄電池８を高い位置まで持ち上げる必要がなく、電気掃除機１００の使い勝手を向上させることができる。
【００３４】
さらに、本実施の形態においては、重量の重い蓄電池８と電動送風機５とを掃除機本体
１の後部に並列に並べて配置しているため、装着時の重量バランスがよい。
【００３５】
（実施の形態２）
本発明の実施の形態２について、図７及び図８を用いて説明する。なお、上述した実施の形態１と同一部分については同一符号を付し、その説明は省略する。
【００３６】
図７は、本発明の実施の形態２における蓄電池の斜視図である。また、図８は、本発明の実施の形態２における蓄電池に設けた取っ手を前方に回動させた様子を示す斜視図である。
【００３７】
図７及び図８に示すように、蓄電池８が掃除機本体１に装着された際に、掃除機本体１の外郭の一部を構成する蓄電池８の露出面には、使用者が蓄電池８を持ち運ぶ際に保持するハンドル１７が形成されている。このハンドル１７は、ハンドル１７の下部に形成された支点１８を中心として回動自在となるように、蓄電池８に取り付けられている。また、ハンドル１７の上部には、蓄電池８が掃除機本体１に取り付けられた際に、掃除機本体１の取付部１１と係合し、蓄電池８を掃除機本体１に保持固定させる係合部１９が設けられている。この係合部１９は、上述した尾錠１４と同様に、蓄電池８の上部から突出するようにバネ１５によって付勢されている。
【００３８】
以上のように構成された電気掃除機１００について、以下、その動作、作用を説明する。
【００３９】
使用者が掃除を終了し、蓄電池８を充電するとき、使用者は、バネ１５の付勢力に反して尾錠１４を下方へと押し下げることで蓄電池８と掃除機本体１との係合を解除することができる。蓄電池８と掃除機本体１との係合が解除された状態で、使用者は、支点１８を中心としてハンドル１７を回動させ、ハンドル１７を掴んで蓄電池８を掃除機本体１から取り外す。このとき、蓄電池８が手前へと引かれることとなり、蓄電池８が自重によって使用者側へと倒れるが、蓄電池８の凹状ガイド部１２と蓄電池収納部９の凸状ガイド部１０とが係合しているため、凹状ガイド部１２が凸状ガイド部１０に引っ掛かり、蓄電池８が蓄電池収納部９から落下しない。また、使用者はハンドル１７を掴んで蓄電池８を外すので、蓄電池８が落下することがない。
【００４０】
また、本実施の形態においては、掃除機本体１に蓄電池８が取り付けられた状態において、蓄電池８の凹状ガイド部１２と蓄電池収納部９の凸状ガイド部１０と係合、及び、ハンドル１７の係合部１９と掃除機本体１の取付部１１との係合によって、蓄電池８を掃除機本体１に保持固定させているため、掃除機本体１の移動時に蓄電池収納部９から蓄電池８が不用意に外れることがなく、電気掃除機１００の安全性を向上させることができる。
【産業上の利用可能性】
【００４１】
本発明の電気掃除機は、使用者が蓄電池を充電する際、使用者は掃除機本体から蓄電池を取り外し、蓄電池のみを充電台へと移動させることで、蓄電池を充電することができるため、蓄電池を充電するために掃除機本体を移動させる必要がなく、電気掃除機の使い勝手を向上させることができるようになるため、家庭用電気掃除機及び産業用電気掃除機の分野・用途に好適に適用することができる。
【符号の説明】
【００４２】
１  掃除機本体
２  ホース
３  延長管
４  吸込具
５  電動送風機
６  集塵装置
７  車輪部
７ａ  車軸部
７ｂ  車輪
８  蓄電池
９  蓄電池収納部
１０  凸状ガイド部
１１  取付部
１２  凹状ガイド部
１３  指かけ部
１４  尾錠
１５  バネ
１６  充電台
１７  ハンドル
１８  支点
１９  係合部
【図４】
2014121422.tif 000003
【図５】
2014121422.tif 000004
【図６】
2014121422.tif 000005
【図７】
2014121422.tif 000006
【図８】
2014121422.tif 000007
【図１】
2014121422.tif 000008
【図２】
2014121422.tif 000009
【図３】
2014121422.tif 000010
【図９】
2014121422.tif 000011